(57)【要約】【課題】本発明の課題は、建物内排水設備からの排水を円滑に公共ますに導入することにある。【解決手段】ます本体２内に１つまたは複数の隔壁２０３を設けて複数の集水部２０１，２０２を区画し、各集水部２０１，２０２からは複数の流入側接続部３，４，５，６，７，８を夫々差出し、更に各集水部２０１，２０２からは流出側接続部９０１，９０２を夫々差出した集水ます１を提供する。上記集水ます１にあっては、集水ます１に流入する排水が該隔壁２０３によって干渉することを防止されるので、逆流も起らず円滑に公共ます側に流出する。【選択図】    図１
2007077750.tif 000002
【特許請求の範囲】
【請求項１】
ます本体内に１つまたは複数の隔壁を設けて複数の集水部を区画し、各集水部からは複数の流入側接続部を夫々差出し、更に各集水部からは流出側接続部を夫々差出したことを特徴とする集水ます。
【請求項２】
該隔壁はます本体内に１つ設けられ、該隔壁によって左右一対の集水部が区画され、上記一対の集水部からは複数の流入側接続部を夫々差出し、更に上記一対の集水部からは流出側接続部を夫々相互隣接状態で差出した請求項１に記載の集水ます。
【請求項３】
上記流入側接続部と上記流出側接続部とは略同一高さレベルに設定されている請求項１または請求項２に記載の集水ます。
【請求項４】
上記流入側接続部の口径よりも上記流出側接続部の口径の方が大きく設定されている請求項１または請求項２または請求項３に記載の集水ます。
【請求項５】
請求項１〜４のいずれかの集水ますは建物内側の床下に設置され、該集水ますの複数の流入側接続部の一部または全部には建物内の各種排水設備に連絡する床下排水枝管が接続され、更に該集水ますの一対の流出側接続部には合流排水管がそれぞれ接続され、上記合流排水管の流出端には左右一対の流入側接続部と一個の流出側接続部とを有する継手部材の流入側接続部がそれぞれ接続され、更に該継手部材の流出側接続部には建物の外周基礎を貫通する排水主管の内端が接続され、該排水主管の外端は屋外排水ますに接続されていることを特徴とする建物排水システム。
【請求項６】
上記床下排水枝管の口径よりも上記合流排水管の口径が大きく設定され、更に該合流排水管の口径よりも上記排水主管の口径が大きく設定されている請求項５に記載の建物排水システム。
【請求項７】
請求項１〜４のいずれかの集水ますは建物内側の床下に設置され、該集水ますの複数の流入側接続部の一部または全部には建物内の各種排水設備に連絡する床下排水枝管が接続され、更に該集水ますの一対の流出側接続部には左右一対の流入側接続部と一個の流出側接続部とを有する継手部材の流入側接続部がそれぞれ接続され、更に該継手部材の流出側接続部には建物の外周基礎を貫通する排水主管の内端が接続され、該排水主管の外端は屋外排水ますに接続されていることを特徴とする建物排水システム。
【請求項８】
上記床下排水枝管の口径よりも上記排水主管の口径が大きく設定されている請求項７に記載の建物排水システム。
【請求項９】
上記集水ますの複数の流入側接続部のうち床下排水枝管が接続されていない流入側接続部は栓体によって閉鎖される請求項５〜８のいずれか１項に記載の建物排水システム。
【発明の詳細な説明】
【技術分野】
【０００１】
本発明は建物内の排水設備からの排水を屋外に導くために使用される集水ますおよび該集水ますを使用した建物排水システムに関するものである。
【背景技術】
【０００２】
従来から、図８に示すように建物Ｂの床下基盤に集水ます１Ａを設置し、該集水ます１Ａに建物Ｂ内の複数の排水設備１０，１１，１２，１３，１４，１５からの排水を床下排水枝管１６，１７，１８，１９，２０，２１を介して集水し、該集水ます１Ａから一本の排水主管２２によって建物Ｂ外側の屋外排水ます２３に導入し、該屋外排水ます２３から更に敷地Ｓ外側の公共ます２４に導入する建物排水システムが提供されている（特許文献１参照）。
【０００３】
上記システムにあっては、複数の排水設備からの排水を集水ます１Ａによって一箇所に集め、一本の排水主管２２によって屋外排水ます２３に導入するから、配管構造が簡略化されかつ排水主管を貫通させるための貫通孔Ｐを建物Ｂの外周基礎ＯＦに一箇所のみ設ければよいので、工事が簡略化されかつ建物Ｂ外周基礎ＯＦの強度も維持出来ると云う利点がある。
【０００４】
【特許文献１】特開２００１−２２０７９２号公報
【発明の開示】
【発明が解決しようとする課題】
【０００５】
しかしながら上記システムに使用される集水ます１Ａには複数の床下排水枝管１６，１７，１８，１９，２０，２１が種々な方向から接続されており、したがって集水ます１Ａ本体内で各枝管から流入する排水が干渉し合って逆流するおそれがあり、そのために図９に示すように集水ます１Ａ本体２Ａの流入側接続部３Ａ，４Ａ，５Ａ，６Ａ，７Ａ，８Ａの高さレベルを流出側接続部９Ａの高さレベルよりも高位に設定して落差を設けた構成が採用されている。
【０００６】
しかしこのような構成を採用すると、集水ます１Ａの高さが高くなり、また流入側接続部の位置も高くなるので、建物Ｂの床Ｆと流入側接続部との高低差が少なくなる。しかし該集水ます１Ａの各流入側接続部に接続される床下排水枝管は所定の勾配（例えば２／１００〜５／１００）をとることが要求されるが、該床下排水枝管にこのような勾配を設定すると、集水ます１Ａの流入側接続部から、建物内排水枝管２５までの距離ｌ1 が短くなり、床下排水枝管の長さ（床下配管延長距離）が短くなり、集水ます１Ａの設置位置の自由度が限られてしまうと云う問題点が生ずる。
【０００７】
また更に該集水ます１Ａへの排水流入量が該集水ます１Ａからの排水流出量を上回ると該集水ます１Ａ内に排水が充満して建物Ｂ内の排水設備側へ圧力が発生し、該排水設備側のトラップの封水破壊が生ずると云う問題も生ずる。
【課題を解決するための手段】
【０００８】
本発明は上記従来の課題を解決するための手段として、ます本体２内に１つまたは複数の隔壁を設けて複数の集水部を区画し、各集水部からは複数の流入側接続部を夫々差出し、更に各集水部からは流出側接続部を夫々差出した集水ます１を提供するものである。
例えば、該隔壁２０３はます本体２内に１つ設けられ、該隔壁２０３によって左右一対の集水部２０１，２０２が区画され、上記一対の集水部２０１，２０２からは複数の流入側接続部３，４，５，６，７，８を夫々差出し、更に上記一対の集水部２０１，２０２からは流出側接続部９０１，９０２を夫々相互隣接状態で差出した集水ます１であり、また上記流入側接続部３，４，５，６，７，８と上記流出側接続部９０１，９０２とは略同一高さレベルに設定されており、更に上記流入側接続部３，４，５，６，７，８の口径よりも上記流出側接続部９０１，９０２の口径の方が大きく設定されていることが望ましい。
【０００９】
更に本発明では上記集水ます１は建物Ｂ内側の床Ｆ下に設置され、該集水ます１の複数の流入側接続部３，４，５，６，７，８の一部または全部には建物Ｂ内の各種排水設備１０，１１，１２，１３，１４，１５に連絡する床下排水枝管１６，１７，１８，１９，２０，２１が接続され、更に該集水ます１の一対の流出側接続部９０１，９０２には合流排水管２２１，２２２がそれぞれ接続され、上記合流排水管２２１，２２２の流出端には左右一対の流入側接続部２７，２８と一個の流出側接続部２９とを有する継手部材２６の流入側接続部２７，２８がそれぞれ接続され、更に該継手部材２６の流出側接続部２９には建物Ｂの外周基礎ＯＦを貫通する排水主管２２の内端が接続され、該排水主管２２の外端は屋外排水ます２３に接続されている建物排水システムおよび上記集水ます１は建物Ｂ内側の床Ｆ下に設置され、該集水ます１の複数の流入側接続部３，４，５，６，７，８の一部または全部には建物Ｂ内の各種排水設備１０，１１，１２，１３，１４，１５に連絡する床下排水枝管１６，１７，１８，１９，２０，２１が接続され、更に該集水ますの一対の流出側接続部９０１，９０２には左右一対の流入側接続部２７，２８と一個の流出側接続部２９とを有する継手部材２６の流入側接続部２７，２８がそれぞれ接続され、更に該継手部材２６の流出側接続部２９には建物Ｂの外周基礎ＯＦを貫通する排水主管２２の内端が接続され、該排水主管２２の外端は屋外排水ます２３に接続されている建物排水システムが提供される。
上記建物排水システムにおいて、上記床下排水枝管の口径よりも上記合流排水管の口径が大きく設定され、更に該合流排水管の口径よりも上記排水主管の口径が大きく設定されていることが望ましく、更に上記床下排水枝管の口径よりも上記上記排水主管の口径が大きく設定されていることが望ましい。
また更に上記集水ます１の複数の流入側接続部のうち床下排水枝管が接続されていない流入側接続部は栓体３１によって閉鎖されることが望ましい。
【発明の効果】
【００１０】
〔作用〕
本発明の集水ます１は本体２内に１つまたは複数の隔壁２０３を設けて複数の集水部２０１，２０２を区画するから、該ます本体２の各集水部２０１，２０２に流入する排水は該隔壁２０３によって相互干渉することを防止される。
したがって本発明にあっては、流入側と流出側との間に落差を設ける必要がなく、流入側接続部３，４，５，６，７，８と流出側接続部９０１，９０２を略同一高さレベルに設定することが出来るので、集水ます１の高さを低くすることが出来、したがって流入側接続部と建物Ｂの床Ｆとの高低差も拡がり、床下排水枝管の勾配を所定に設定しても該集水ます１の流入側接続部から、建物Ｂ内排水枝管２５までの距離を長く確保することが出来る。
また流入側接続部の口径よりも上記流出側接続部の口径の方を大きく設定し、そして床下排水枝管の口径よりも上記合流排水管の口径を大きく設定し、更に該合流排水管の口径よりも上記排水主管の口径を大きく設定すると、排水が集水ます１へ流入する量が、排水が集水ます１から流出する量を上回りにくゝなり、集水ます１に排水が充満することが防止される。
この際、各集水部において床下排水枝管の断面積の和に対する合流排水管の断面積が大きくなるように設定すると集水ます１における排水の充満が確実に防止される。更に継手部材の配設位置が固定される場合でも、外周基礎ＯＦと継手部材との間の距離が決められた場合であっても、施行現場にて合流排水管を所定の長さに切断して接続することにより、集水ます１を所望の場所に設置出来る。
【００１１】
〔効果〕
したがって本発明においては、集水ます１から建物Ｂ内排水設備側への排水の逆流を確実に防止することが出来、排水を円滑に公共ますへ流出することが出来、また集水ます１から建物内排水設備側への圧力も発生しないから、トラップの封水破壊等の不具合も起らないし、集水ます１の設置位置の自由度も拡がる。特に、この種の圧力発生を防止出来ると、集水ます１の蓋に通気構造を設ける必要がなく、集水ます１の高さを一層低くすることが出来る。
【発明を実施するための最良の形態】
【００１２】
本発明を図１〜図４に示す一実施例によって以下に詳細に説明する。
図１に示すように、建物Ｂの床下の基礎Ｇ上には集水ます１が設置される。該集水ます１は、図２および図３に示すように本体２と該本体２の周壁から差出される複数の流入側接続部である流入側受口３，４，５，６，７，８と２つの流出側接続部である流出側受口９０１，９０２と、該本体２の中心部を通って左右一対の集水部２０１，２０２を区画する隔壁２０３と、蓋２０４とからなる。
【００１３】
該集水ます１の各流入側受口３，４，５，６，７，８には従来と同様、図８に示す建物Ｂ内の排水設備１０，１１，１２，１３，１４，１５に連絡する床下排水枝管１６，１７，１８，１９，２０，２１がそれぞれ接続される。該床下排水枝管１６，１７，１８，１９，２０，２１はコルゲート管であり可撓性を有する。
【００１４】
該集水ます１の流出側受口９０１，９０２には二本の合流排水管２２１，２２２の流入端がそれぞれ接続され、該二本の合流排水管２２１，２２２の流出端には継手部材２６の左右一対の流入側接続部である流入側受口２７，２８が接続している。該継手部材２６の一個の流出側接続部である流出側受口２９には、建物Ｂの外周基礎ＯＦを貫通する一本の排水主管２２が接続されている。この部分では排水システムは排水主管２２に一本化されているので、外周基礎ＯＦの排水主管貫通孔Ｐは一個設けるだけでよいので、配管工事が簡略化されかつ建物Ｂの外周基礎ＯＦの強度も低下しない。
【００１５】
該排水主管２２の流出端には建物Ｂの外側で継手３０を介して第２排水主管２２３が接続され、該第２排水主管２２３は敷地Ｓ内の屋外排水ます２３に連絡し、更に該屋外排水ます２３は第３排水主管２２４を介して公共ます２４に接続する。
【００１６】
上記排水システムにおいて、上記床下排水枝管１６，１７，１８，１９，２０，２１の口径よりも、上記合流排水管２２１，２２２の口径が大きく設定され、上記合流排水管２２１，２２２の口径よりも、上記排水主管２２の口径が大きく設定されている。したがって上記集水ます１の流入側受口３，４，５，６，７，８の口径よりも流出側受口９０１，９０２の口径が大きく設定され、また継手部材２６の流出側受口２９の口径が大きく設定されている。例えば集水ます１流入側受口口径５０ｍｍ、流出側受口口径６５ｍｍ、継手部材流出側受口口径７５ｍｍである。
【００１７】
図３に示すように、上記集水ます１の流入側受口（例えば受口６）には建物Ｂ内の排水設備の数によって、必ずしも床上排水管が接続されない場合がある。その場合には、該受口６に栓体３１を嵌着して閉鎖する。このようにすれば、建物Ｂ内の排水設備の数の変動に一個の集水ます１で対応することが出来る。
【００１８】
上記集水ます１にあっては、流入側受口３，４，５，６，７，８と流出側受口９０１，９０２とを略同一レベルの高さに設置出来るから、集水ます１の高さを縮小することが出来、図４に示すように建物Ｂの床Ｆと流入側受口６との高低差を充分確保出来る。したがって床下排水枝管１９の勾配を例えば２／１００〜５／１００に設定しても、該集水ます１の流入側受口６と建物内排水枝管２５までの距離ｌ2 を長く確保することが出来、集水ます１の配置位置の自由度が広くなる。
【００１９】
上記排水システムにおいて、建物Ｂ内の各排水設備１０，１１，１２，１３，１４，１５からの排水は、屋内排水枝管２５を介して各床下排水枝管１６，１７，１８，１９，２０，２１に流入し、集水ます１に導入されるが、この時ますの左右から流入する排水は左右の集水部２０１，２０２に導かれ、隔壁２０３によって相互干渉を阻止されるので、排水設備側への排水の逆流は発生せず、円滑に左右一対の合流排水管２２１，２２２にそれぞれ流入する。
【００２０】
そして集水ます流入側受口口径＜集水ます流出側受口口径＜継手部材流出側受口口径となるように設定されているから、集水ます１への排水流入量が集水ます１からの排水流出量を上回ることがなく、したがって該集水ます１内に排水が充満しないので、集水ます１から屋内排水設備側に圧力が発生せず、トラップの封水破壊も起らない。
【００２１】
更に排水は合流排水管２２１，２２２から継手部材２６を介して排水主管２２に合一し、屋外排水ます２３から公共ます２４に導入される。
【００２２】
本実施例では継手部材２６の流出側受口２９に直管である排水主管２２を接続したが、図５に示すように、本発明においてはその他に該排水主管２２をコルゲートタイプの可撓管２２５をスリーブ２２６で被覆して外周基礎ＯＦを貫通させてもよい。
【００２３】
本発明では上記実施例以外、例えば図６に示すように、集水ます１を複数の隔壁２０３，２０３によって複数の集水部に区画しても良いとの観点から、三以上の集水部を区画しても良い。この際図に示すように集水ます１の流入側受口の軸線方向を流出側受口の側に配向させると、排水の円滑な流れを促し有用である。
【００２４】
また更に本発明では、複数の流出側接続部を集水ます１の下流側にて、接続部材により合流させることが出来れば良いとの観点から、図７に示すように合流排水管を省略してもよい。
【産業上の利用可能性】
【００２５】
本発明では建物排水設備からの排水を公共ますに円滑に流出させることができるので、産業上利用可能である。
【図面の簡単な説明】
【００２６】
図１〜図４は本発明の一実施例を示すものである。
【図１】建物排水システムの説明平面図
【図２】集水ます部分の説明斜視図
【図３】集水ます部分の説明平面図
【図４】建物排水システムの説明側面図
【図５】他の実施例の排水主管部分説明側断面図
【図６】更に他の実施例の集水ます部分の説明平面図
【図７】更に他の実施例の集水ます部分の説明斜視図  図８および図９は従来例を示すものである。
【図８】建物排水システムの説明平面図
【図９】建物排水システムの説明側面図
【符号の説明】
【００２７】
１          集水ます
２          集水ます本体
３，４，５，６，７，８  流入側受口（流入側接続部）
９０１，９０２          流出側受口（流出側接続部）
１０，１１，１２，１３，１４，１５  排水設備
１６，１７，１８，１９，２０，２１  床下排水枝管
２２        排水主管
２３        屋外排水ます
２４        公共ます
２６        継手部材
２７，２８  流入側受口（流入側接続部）
２９        流出側受口（流出側接続部）
２０１，２０２      集水部
２０３              隔壁
２２１，２２２      合流排水管
２２５              可撓管
３１        栓体
Ｂ          建物
Ｆ          床
ＯＦ        外周基礎
【図１】
2007077750.tif 000003
【図２】
2007077750.tif 000004
【図３】
2007077750.tif 000005
【図４】
2007077750.tif 000006
【図５】
2007077750.tif 000007
【図６】
2007077750.tif 000008
【図７】
2007077750.tif 000009
【図８】
2007077750.tif 000010
【図９】
2007077750.tif 000011
【手続補正書】
【提出日】平成17年9月20日(2005.9.20)
【手続補正１】
【補正対象書類名】図面
【補正対象項目名】全図
【補正方法】変更
【補正の内容】
【図１】
2007077750.tif 000012
【図２】
2007077750.tif 000013
【図３】
2007077750.tif 000014
【図４】
2007077750.tif 000015
【図５】
2007077750.tif 000016
【図６】
2007077750.tif 000017
【図７】
2007077750.tif 000018
【図８】
2007077750.tif 000019
【図９】
2007077750.tif 000020